(57)【要約】  滅菌および非滅菌手術環境で患者の解剖学的構造が関与するナビゲート式の外科的処置を実施する、システム、方法、およびデバイスが本明細書に記載される。カメラは患者の解剖学的構造に対するカメラ座標フレームの、又は任意に患者の解剖学的構造に対するトラッカーの位置合わせを判定するのに使用しても良い。滅菌手術環境で使用できるようにドレープを適用しても良い。カメラは、カメラ座標フレームと患者の解剖学的構造との位置合わせを維持したまま、患者の解剖学的構造へアクセスできるように、元の位置から移動しても良い。またカメラは、手持ち式またはヘッドマウント式でも良い。患者の解剖学的構造の視覚化像を、機器またはカメラの姿勢によって設定される視覚化参照面と共に情報処理装置へ表示しても良い。視覚化像を、情報処理装置のディスプレイ又はヘッドマウント式拡張現実システムの一部として提示しても良い。
2019532693.tif 000002
【特許請求の範囲】
【請求項１】
非滅菌カメラ取付アームの近位端に患者の解剖学的構造を固定する外科用クランプを着脱可能に連結するステップと、
前記非滅菌カメラ取付アームの遠位端に非滅菌カメラを着脱可能に連結するステップと、
情報処理装置における前記非滅菌カメラの座標フレームと前記患者の解剖学的構造との位置合わせに続いて、
前記患者の解剖学的構造に対する前記非滅菌カメラの位置を移動させることなく、前記非滅菌カメラ及び前記非滅菌カメラ取付アームをカメラドレープで覆うことで、前記患者の解剖学的構造と前記非滅菌カメラ及び前記非滅菌カメラ取付アームとの間に滅菌バリアを設けるステップを含むことを特徴とする方法。
【請求項２】
前記カメラドレープは、前記カメラドレープで覆う前に作成した前記位置合わせを用いて、前記カメラドレープで覆った後に前記非滅菌カメラから受信した姿勢データを前記情報処理装置が使用できるように形成されることを特徴とする請求項１に記載の方法。
【請求項３】
前記カメラドレープは、光学信号を歪みなく前記非滅菌カメラに送信できるように形成されることを特徴とする請求項１又は２に記載の方法。
【請求項４】
前記非滅菌カメラを前記カメラドレープで覆うことは、前記非滅菌カメラをチューブ状の前記カメラドレープの閉止端で囲むことで実現され、前記カメラドレープは、前記非滅菌カメラ取付アームを囲むように延設されることを特徴とする請求項１から３のいずれかに記載の方法。
【請求項５】
前記非滅菌カメラの上の適所で前記カメラドレープを保持する保持メカニズムを備えることを特徴とする請求項１から４のいずれかに記載の方法。
【請求項６】
前記保持メカニズムは、前記非滅菌カメラを機械的に留めるシュラウドで構成されることを特徴とする請求項５に記載の方法。
【請求項７】
前記カメラドレープはドレープ光学窓を備え、前記保持メカニズムが、前記非滅菌カメラの光学部品との固定された適正な位置合わせで前記光学窓を保持することを特徴ととする請求項５又は６に記載の方法。
【請求項８】
前記カメラドレープにおける開放端の境界面を患者ドレープに封止することで、連続的な滅菌バリアを維持することを特徴とする請求項１から７のいずれかに記載の方法。
【請求項９】
前記患者ドレープは、前記非滅菌カメラ取付アームが中を通って延在する開口部を備え、前記境界面が、前記患者ドレープの前記開口部と前記カメラドレープの前記開放端とによって設定されることを特徴とする請求項８記載の方法。
【請求項１０】
前記カメラドレープが滅菌弾性バンド又は接着剤を含み、前記方法は、前記境界面を封止するときに前記滅菌弾性バンド又は接着剤を使用するステップを含むことを特徴とする請求項９記載の方法。
【請求項１１】
前記非滅菌カメラが、ケーブルを介して前記情報処理装置に連結され、前記カメラドレープが前記ケーブルの一部分を封入することを特徴とする請求項１から１０のいずれかに記載の方法。
【請求項１２】
非滅菌トラッカーを前記患者の解剖学的構造に固定して前記位置合わせを実施するステップと、前記ドレーピングに続いて、滅菌トラッカーを前記患者の解剖学的構造に固定して、第２の位置合わせを実施することなく手術ナビゲーションを実施するステップとを含むことを特徴とする請求項１から１１のいずれかに記載の方法。
【請求項１３】
前記非滅菌トラッカー及び前記滅菌トラッカーが、同じ位置を有する同じトラッカー取付アームに固定されることを特徴とする請求項１２に記載の方法。
【請求項１４】
前記非滅菌トラッカーの形状と前記滅菌トラッカーの形状とが異なる場合、前記非滅菌トラッカー及び前記滅菌トラッカーそれぞれを使用するときに、これらの形状の違いを前記情報処理装置による姿勢の計算における因子として用いることを特徴とする請求項１３に記載の方法。
【請求項１５】
情報処理装置で、非滅菌カメラの座標フレームと患者の解剖学的構造との位置合わせを実施するステップであって、前記非滅菌カメラが非滅菌カメラ取付アームの遠位端に着脱可能に連結され、前記非滅菌カメラ取付アームの近位端が前記患者の解剖学的構造を固定する外科用クランプに着脱可能に連結され、前記非滅菌カメラが姿勢データを前記情報処理装置に通信する、ステップと、
前記患者の解剖学的構造に対する前記非滅菌カメラの位置を移動させることなく、前記非滅菌カメラ及び前記非滅菌カメラ取付アームをカメラドレープで覆うことで、前記患者の解剖学的構造と前記非滅菌カメラ及び前記非滅菌カメラ取付アームとの間に滅菌バリアを設けた後、
前記位置合わせを使用して前記患者の解剖学的構造に対する滅菌機器の姿勢を前記情報処理装置によって計算して、外科的処置中の手術ナビゲーションを提供するステップとを含むことを特徴とするコンピュータ実装方法。
【請求項１６】
前記カメラドレープが、光学信号を歪みなく前記非滅菌カメラに送信できるように構成されることを特徴とする請求項１５記載のコンピュータ実装方法。
【請求項１７】
前記位置合わせは、非滅菌機器の姿勢データを使用して実行されることを特徴とする、請求項１５又は１６に記載のコンピュータ実装方法。
【請求項１８】
前記カメラドレープがドレープ光学窓を備え、
前記非滅菌カメラの光学部品との固定された適正な位置合わせで前記光学窓を保持する保持メカニズムを備えることを特徴とする請求項１５から１７のいずれかに記載のコンピュータ実装方法。
【請求項１９】
前記患者の解剖学的構造に固定された非滅菌トラッカーの前記非滅菌カメラからの姿勢データを、前記情報処理装置で受信して、前記位置合わせを実行するステップと、
前記ドレーピングに続いて、前記患者の解剖学的構造に固定された滅菌トラッカーの前記非滅菌カメラからの姿勢データを、前記情報処理装置で受信して、第２の位置合わせを実行することなく前記手術ナビゲーションを提供するステップとを含むことを特徴とする請求項１５から１８のいずれかに記載のコンピュータ実装方法。
【請求項２０】
前記非滅菌トラッカー及び前記滅菌トラッカーが、同じ位置を有する同じトラッカー取付アームに固定されることを特徴とする請求項１９記載のコンピュータ実装方法。
【請求項２１】
前記非滅菌トラッカーの形状と前記滅菌トラッカーの形状とが異なる場合、前記非滅菌トラッカー及び前記滅菌トラッカーそれぞれを使用するときに、これらの形状の違いを因子として前記情報処理装置による姿勢の計算に入れることを特徴とする請求項２０記載のコンピュータ実装方法。
【請求項２２】
前記患者の解剖学的構造が頭蓋であることを特徴とする請求項１５から２１のいずれかに記載のコンピュータ実装方法。
【請求項２３】
患者、カメラ取付アーム、及び該カメラ取付アームに取り付けられたカメラをカメラドレープで覆って、ナビゲート式の外科的処置を実施するための滅菌バリアを設けるシステムであって、
前記カメラドレープは、前記カメラ取付アーム及び前記カメラ取付アームの遠位端に取り付けられた前記カメラを被覆するものであって、該カメラドレープで覆ったときに前記カメラに隣接する閉止端と前記閉止端の遠位側にある開放端とを備え、
前記カメラドレープを、前記患者を被覆する滅菌患者ドレープに対して封止して、連続的な滅菌バリアを維持する封止メカニズムとを備えることを特徴とするシステム。
【請求項２４】
前記滅菌患者ドレープが、前記カメラ取付アームの近位端を受け入れる開口部を設け、前記滅菌カメラドレープの前記開放端および前記滅菌患者ドレープの前記開口部が、前記封止メカニズムによって実質的に封止される境界面を形成することを特徴とする請求項２３記載のシステム。
【請求項２５】
前記封止メカニズムが滅菌弾性バンドを含み、前記滅菌弾性バンドが、前記カメラドレープを前記開放端またはその付近で、前記滅菌患者ドレープを前記開口部またはその付近で係合して、前記境界面を形成することを特徴とする請求項２３又は２４に記載のシステム。
【請求項２６】
前記滅菌弾性バンドが、前記開放端またはその付近で前記滅菌カメラドレープに固定されることを特徴とする請求項２５記載のシステム。
【請求項２７】
前記封止メカニズムは、前記滅菌カメラドレープの前記開放端またはその付近を接着する接着剤で構成されることを特徴とする請求項２３から２６のいずれかに記載のシステム。
【請求項２８】
前記接着剤が、接着側と前記滅菌カメラドレープの前記開放端またはその付近に固定された側とを備える、１つ若しくは複数の円周方向接着リングを含み、前記１つ若しくは複数の円周方向接着リングの前記接着側が、前記滅菌患者ドレープを前記開放端またはその付近で係合して前記境界面を形成することを特徴とする請求項２７記載のシステム。
【請求項２９】
前記滅菌患者ドレープは、
閉止端が前記滅菌患者ドレープの遠位側にあるチューブ状突起と、
そのチューブ状突起の閉止端またはその付近にあって、滅菌患者ドレープの非滅菌側にある非滅菌コネクタと滅菌患者ドレープの滅菌側にある滅菌コネクタとを備えるアダプタとを備え、
前記非滅菌コネクタがトラッカー取付アームに付着するように構成され、
前記滅菌コネクタが、滅菌トラッカー又は滅菌トラッカーマウントに付着するように構成されることを特徴とする請求項２３から２８のいずれかに記載のシステム。
【請求項３０】
前記滅菌患者ドレープは、
該滅菌患者ドレープの遠位側にある閉止端を有するチューブ状突起と、
そのチューブ状突起の前記閉止端は、前記滅菌トラッカーとトラッカー取付アームとの間で係合され、前記チューブ状突起の前記閉止端が、前記トラッカー取付アームに取り付けられた前記滅菌トラッカーの位置に著しく影響しないように十分に薄いことを特徴とする請求項２３から２８のいずれかに記載のシステム。
【請求項３１】
患者の手術の非滅菌段階中に使用される非滅菌トラッカーと、患者の手術の滅菌段階中に前記非滅菌トラッカーの代わりに使用される滅菌トラッカーとの形状の違いを、情報処理装置によって格納するステップと、
前記非滅菌段階中の前記非滅菌トラッカーに対する前記カメラの位置合わせを前記情報処理装置によって計算するステップと、
前記非滅菌トラッカーの代わりに前記滅菌トラッカーが使用され、前記患者が患者ドレープで覆われている前記滅菌段階中、姿勢を計算する際に、前記情報処理装置によって格納された前記位置合わせ及び前記形状の違いを使用するステップとを含むことを特徴とするコンピュータ実装方法。
【請求項３２】
前記更新された位置合わせを計算する前記ステップの前に、
前記患者ドレープが適用される前に取付アームに取り付けられたときの前記非滅菌トラッカーと、前記患者ドレープが適用された後に前記患者ドレープの滅菌トラッカーアダプタを介して前記取付アームに取り付けられたときの前記滅菌トラッカーとの相対位置であって、前記滅菌トラッカーアダプタの形状の特徴に基づいた前記相対位置を前記情報処理装置によって格納するステップと、
前記非滅菌トラッカーの代わりに前記滅菌トラッカーが使用され、前記患者が前記患者ドレープで覆われている前記滅菌段階中、姿勢を計算する際に、前記情報処理装置によって格納された前記相対位置を使用するステップとを更に含むことを特徴とする請求項３１に記載のコンピュータ実装方法。
【請求項３３】
ナビゲート式の医療処置を実施するシステムであって、
命令を格納する記録媒体を備え、該命令が、情報処理装置で実行されると、
患者の解剖学的構造に対して第１の位置関係を有するカメラと前記患者の解剖学的構造に対して第２の位置関係を有するトラッカーとの間の第１の姿勢を捕捉し、
前記患者の解剖学的構造に対して第３の位置関係を有する前記カメラと前記第２の位置関係を有する前記トラッカーとの間の第２の姿勢を捕捉し、
第１の位置合わせ、前記第１の姿勢、および前記第２の姿勢に基づいて、前記患者の解剖学的構造に対するカメラの更新された位置合わせを計算するように、前記情報処理装置を構成することを特徴とするシステム。
【請求項３４】
前記カメラを前記第１の位置関係で保持し、更に前記カメラが前記第３の位置関係へと移動できるように位置調節可能であるように構成されたカメラ取付アームを備えることを特徴とする請求項３３に記載のシステム。
【請求項３５】
前記トラッカーが前記第２の位置関係を有するように取り付けられることを特徴とする、請求項３３又は３４に記載のシステム。
【請求項３６】
前記トラッカーを前記第２の位置関係で保持するトラッカー取付アームを備えることを特徴とする請求項３３から３５のいずれかに記載のシステム。
【請求項３７】
前記命令は、姿勢データと前記患者の解剖学的構造の医用画像とに基づいた前記第１の位置合わせを計算するように、前記情報処理装置を構成することを特徴とする請求項３３から３６のいずれかに記載のシステム。
【請求項３８】
前記命令は、前記カメラを移動させるか又は姿勢を補足するかの少なくとも１つ機能を実行するようにユーザに指示する、図形による指示を表示装置に提供するように、前記情報処理装置を構成することを特徴とする請求項３３から３７のいずれかに記載のシステム。
【請求項３９】
前記命令は、前記第１の姿勢を捕捉した後であって前記第２の姿勢を捕捉する前に、前記カメラの作業範囲と手術部位との位置合わせを表す図形による指示を表示装置に提供するように、前記情報処理装置を構成することを特徴とする請求項３３から３８のいずれかに記載のシステム。
【請求項４０】
コンピュータ実装方法であって、
患者の解剖学的構造に対して第１の位置関係を有するカメラと前記患者の解剖学的構造に対して第２の位置関係を有するトラッカーとの間の第１の姿勢を、情報処理装置によって捕捉するステップと、
前記患者の解剖学的構造に対して第３の位置関係を有する前記カメラと前記第２の位置関係を有する前記トラッカーとの間の第２の姿勢を、前記情報処理装置によって捕捉するステップと、
第１の位置合わせ、前記第１の姿勢、および前記第２の姿勢に基づいて、前記患者の解剖学的構造に対する前記カメラの更新された位置合わせを前記情報処理装置によって計算するステップとを含むことを特徴とするコンピュータ実装方法。
【請求項４１】
姿勢データと前記患者の解剖学的構造の医用画像とに基づいた前記第１の位置合わせを前記情報処理装置によって計算するステップを含むことを特徴とする請求項４０記載のコンピュータ実装方法。
【請求項４２】
前記カメラを移動させるか又は姿勢を補足するかの少なくとも１つ機能を実行するようにユーザに指示する、図形による指示を、前記情報処理装置によって表示装置に提供するステップを更に含むことを特徴とする、請求項４０又は４１に記載のコンピュータ実装方法。
【請求項４３】
前記第１の姿勢を捕捉した後であって前記第２の姿勢を捕捉する前に、前記カメラの作業範囲と手術部位との位置合わせを表す図形による指示を、前記情報処理装置によって表示装置に提供するステップを更に含むことを特徴とする、請求項４０から４２のいずれかに記載のコンピュータ実装方法。
【請求項４４】
患者の解剖学的構造を視覚化するシステムであって、
患者の解剖学的構造に対して固定の位置関係を有するトラッカーから、姿勢データを含む光学信号を受信し、前記光学信号を情報処理装置に通信するように構成されたカメラと、
命令を格納する記録デバイスとを備え、
該命令が、前記情報処理装置で実行されると、
前記患者の解剖学的構造の医用画像に基づいた前記患者の解剖学的構造の少なくとも１つのビューを、表示装置に提供してユーザに対して表示し、
前記姿勢データを含む前記光学信号を前記カメラから受信し、
前記姿勢データ及び位置合わせデータに基づいて、前記患者の解剖学的構造に対する前記カメラの姿勢を計算し、
カメラ基準の参照面および前記カメラの姿勢に基づいて前記ビューを変更するように、前記情報処理装置を構成することを特徴とするシステム。
【請求項４５】
前記トラッカーが前記患者に非侵襲的に取り付けられることを特徴とする請求項４４に記載のシステム。
【請求項４６】
前記カメラが手持ち式であり、前記カメラの移動によって前記情報処理装置が前記ビューを変更することを特徴とする請求項４４又は４５に記載のシステム。
【請求項４７】
前記カメラがヘッドマウント式であり、頭部の移動によって前記情報処理装置が前記ビューを変更することを特徴とする請求項４４から４６のいずれかに記載のシステム。
【請求項４８】
前記表示装置がヘッドマウントディスプレイを含むことを特徴とする請求項４７に記載のシステム。
【請求項４９】
前記ヘッドマウントディスプレイに提供される前記ビューが前記患者の前記ユーザビュー上に重ね合わされることを特徴とする請求項４８に記載のシステム。
【請求項５０】
前記表示装置は、ユーザが前記表示装置を通して見ることができるように透明であることを特徴とする請求項４６に記載のシステム。
【請求項５１】
前記表示装置に提供される前記ビューが部分的に透明であることを特徴とする請求項４９に記載のシステム。
【請求項５２】
前記患者の解剖学的構造上に、カメラ基準の参照面に対応する可視パターンを投影するプロジェクタを更に備えることを特徴とする請求項４４から５１のいずれかに記載のシステム。
【請求項５３】
前記カメラ基準の参照面が、前記カメラの光学軸に垂直、且つ前記カメラから前記光学軸に沿って正の距離ｄだけ離れた１の面であって、前記患者の解剖学的構造の関心範囲が前記カメラから距離ｄに位置するときに前記トラッカーが前記カメラの視野内にあるような面であることを特徴とする請求項４４から５２のいずれかに記載のシステム。
【請求項５４】
前記距離ｄが変更可能に構成されることを特徴とする請求項５３記載のシステム。
【請求項５５】
患者の解剖学的構造の医用画像に基づいて、前記患者の解剖学的構造の少なくとも１つのビューを、情報処理装置によって表示装置に提供してユーザに対して表示するステップと、
前記患者の解剖学的構造に対して固定の位置関係を有するトラッカーの姿勢データを含むカメラからの光学信号を、前記情報処理装置によって受信するステップと、
前記姿勢データ及び位置合わせデータに基づいて、前記患者の解剖学的構造に対する前記カメラの姿勢を前記情報処理装置によって計算するステップと、
カメラ基準の参照面および前記カメラの姿勢に基づいて、前記情報処理装置によって前記ビューを変更するステップとを含むことを特徴とするコンピュータ実装方法。
【発明の詳細な説明】
【技術分野】
【０００１】
本発明は、滅菌および非滅菌手術環境で使用される術中位置推定システムに関し、より詳細には、患者の解剖学的構造に対する機器の姿勢を追跡し、術中位置推定システムのカメラの座標フレームと患者の解剖学的構造との位置合わせを維持したままカメラを元の取付位置から移動させ、術中位置推定システムをドレープで覆って滅菌環境で使用できるようにし、かかる環境で患者の解剖学的構造の医用画像の視覚化像を表示する、システム、方法、およびデバイスに関するものである。
【背景技術】
【０００２】
多くのタイプの外科手術が、患者の解剖学的構造（例えば、患者の頭部、脊椎、または関節）に対する外科用機器の精密な位置ナビゲーションから利益を得る。例えば、神経外科では、外科的治療は、生検、切除、アブレーションなどを実施するのに、術前画像（例えば、ＭＲＩ）上で特定された患者の脳内の物理的病変の位置推定を含むことがある。例えば、ＥＮＴ手術では、機能性内視鏡的副鼻腔手術（ＦＥＳＳ）である。別の例は、脳深部刺激療法（ＤＢＳ）である。
【先行技術文献】
【特許文献】
【０００３】
【特許文献１】米国仮特許出願第６２／３８４，４１０号
【特許文献２】米国仮特許出願第６２／３２８，９７８号
【０００４】
滅菌および非滅菌手術環境で患者の解剖学的構造が関与するナビゲート式の外科的処置を実施する、システム、方法、およびデバイスが本明細書に記載される。カメラは、患者の解剖学的構造に対するカメラ座標フレームの、又は任意に患者の解剖学的構造に対するトラッカーの位置合わせを判定するのに使用されても良い。滅菌手術環境で使用できるように、ドレープが適用されても良い。カメラは、カメラ座標フレームと患者の解剖学的構造との位置合わせを維持したまま、患者の解剖学的構造へアクセスできるように、元の位置から移動させられても良い。あるいは、カメラは、手持ち式またはヘッドマウント式で使用されても良い。患者の解剖学的構造の視覚化像は、機器またはカメラの姿勢によって規定される視覚化参照面とともに、コンピューティング装置に表示されても良い。視覚化像は、コンピューティング装置のディスプレイに、又はヘッドマウント式拡張現実システムの一部として提示されても良い。
【０００５】
方法が記載され、方法は、非滅菌カメラ取付アームの近位端に患者の解剖学的構造を固定する外科用クランプを着脱可能に連結するステップと、非滅菌カメラ取付アームの遠位端に非滅菌カメラを着脱可能に連結するステップと、コンピューティング装置における非滅菌カメラの座標フレームと患者の解剖学的構造との位置合わせに続いて、患者の解剖学的構造に対する非滅菌カメラの位置を移動させることなく、非滅菌カメラ及び非滅菌カメラ取付アームをカメラドレープで覆うことで、患者の解剖学的構造と非滅菌カメラ及び非滅菌カメラ取付アームとの間に滅菌バリアを設けるステップを含む。
【０００６】
カメラドレープは、カメラドレープで覆う前に作成した位置合わせを用いて、カメラドレープで覆った後に非滅菌カメラから受信した姿勢データをコンピューティング装置が使用できるように形成されても良い。
【０００７】
非滅菌カメラをカメラドレープで覆うことは、非滅菌カメラをチューブ状のカメラドレープの閉止端で囲むことで実現され、カメラドレープは、非滅菌カメラ取付アームを囲むように延設しても良い。
【０００８】
方法は、前記非滅菌カメラの上の適所でカメラドレープを保持する保持メカニズムを備えても良い。保持メカニズムは、非滅菌カメラを機械的に留めるシュラウドで構成され手も良い。
【０００９】
方法は、カメラドレープにおける開放端の境界面を患者ドレープに封止することで、連続的な滅菌バリアを維持しても良い。患者ドレープは、前記非滅菌カメラ取付アームが中を通って延在する開口部を備えても良く、境界面が、前記患者ドレープの前記開口部と前記カメラドレープの前記開放端とによって規定されても良い。
【００１０】
非滅菌カメラは、ケーブルを介してコンピューティング装置に連結されても良く、カメラドレープはケーブルの一部分を封入する。
【００１１】
方法は、非滅菌トラッカーを患者の解剖学的構造に固定して位置合わせを実施することと、ドレーピングに続いて、滅菌トラッカーを患者の解剖学的構造に固定して、第２の位置合わせを実施することなく手術ナビゲーションを実施することとを含んでも良い。非滅菌トラッカー及び滅菌トラッカーが、同じ位置を有する同じトラッカー取付アームに固定されても良い。非滅菌トラッカーの形状と滅菌トラッカーの形状とが異なる場合、非滅菌トラッカー及び滅菌トラッカーそれぞれを使用するときに、これらの形状の違いをコンピューティング装置による姿勢の計算における因子として用いても良い。
【００１２】
コンピュータ実装方法が開示され、方法は、コンピューティング装置で、非滅菌カメラの座標フレームと患者の解剖学的構造との位置合わせを実施するステップであって、非滅菌カメラが非滅菌カメラ取付アームの遠位端に着脱可能に連結され、非滅菌カメラ取付アームの近位端が患者の解剖学的構造を固定する外科用クランプに着脱可能に連結され、非滅菌カメラが姿勢データをコンピューティング装置に通信する、ステップと、患者の解剖学的構造に対する非滅菌カメラの位置を移動させることなく、非滅菌カメラ及び非滅菌カメラ取付アームをカメラドレープで覆うことで、患者の解剖学的構造と非滅菌カメラ及び非滅菌カメラ取付アームとの間に滅菌バリアを設けた後、位置合わせを使用して患者の解剖学的構造に対する滅菌機器の姿勢をコンピューティング装置によって計算して、外科的処置中の手術ナビゲーションを提供するステップとを含むカメラドレープは、光学信号を歪みなく非滅菌カメラに送信できるように構成されても良い。
【００１３】
位置合わせは、非滅菌機器の姿勢データを使用して実行されても良い。
【００１４】
カメラドレープはドレープ光学窓を備えても良く、非滅菌カメラの光学部品との固定された適正な位置合わせで光学窓を保持する保持メカニズムを備えても良い。
【００１５】
コンピュータ実装方法は、患者の解剖学的構造に固定された非滅菌トラッカーの非滅菌カメラからの姿勢データを、コンピューティング装置で受信して、位置合わせを実行するステップと、ドレーピングに続いて、患者の解剖学的構造に固定された滅菌トラッカーの非滅菌カメラからの姿勢データを、コンピューティング装置で受信して、第２の位置合わせを実行することなく手術ナビゲーションを提供するステップとを含んでも良い。非滅菌トラッカー及び滅菌トラッカーが、同じ位置を有する同じトラッカー取付アームに固定されても良い。非滅菌トラッカーの形状と前記滅菌トラッカーの形状とが異なる場合、非滅菌トラッカー及び前記滅菌トラッカーそれぞれを使用するときに、これらの形状の違いを因子としてコンピューティング装置による姿勢の計算に入れる。
【００１６】
患者の解剖学的構造は頭蓋であっても良い。
【００１７】
患者、カメラ取付アーム、及びそれに取り付けられたカメラをドレープで覆って、ナビゲート式の外科的処置を実施するための滅菌バリアを設けるシステムが開示され、カメラドレープは、カメラ取付アーム及びカメラ取付アームの遠位端に取り付けられたカメラを被覆するものであって、該カメラドレープで覆ったときにカメラに隣接する閉止端と前記閉止端の遠位側にある開放端とを備え、カメラドレープを、前記患者を被覆する滅菌患者ドレープに対して封止して、連続的な滅菌バリアを維持する封止メカニズムとを備える。
【００１８】
滅菌患者ドレープは、カメラ取付アームの近位端を受け入れる開口部を設けても良い。滅菌カメラドレープの開放端および滅菌患者ドレープの開口部は、封止メカニズムによって実質的に封止される境界面を形成しても良い。
【００１９】
封止メカニズムは滅菌弾性バンドを含んでも良く、滅菌弾性バンドは、カメラドレープを開放端またはその付近で、滅菌患者ドレープを開口部またはその付近で係合して、境界面を形成する。
【００２０】
滅菌弾性バンドは、開放端またはその付近で滅菌カメラドレープに固定されても良い。
【００２１】
封止メカニズムを、滅菌カメラドレープの開放端またはその付近を接着する接着剤で構成しても良い。接着剤が、接着側と滅菌カメラドレープの開放端またはその付近に固定された側とを備える、１つ若しくは複数の円周方向接着リングを含んでよく、１つ若しくは複数の円周方向接着リングの前記接着側が、滅菌患者ドレープを開放端またはその付近で係合して境界面を形成する。
【００２２】
滅菌患者ドレープは、閉止端が滅菌患者ドレープの遠位側にあるチューブ状突起と、そのチューブ状突起の閉止端またはその付近にあって、滅菌患者ドレープの非滅菌側にある非滅菌コネクタと滅菌患者ドレープの滅菌側にある滅菌コネクタとを備えるアダプタとを備え、非滅菌コネクタがトラッカー取付アームに付着するように構成され、滅菌コネクタが、滅菌トラッカー又は滅菌トラッカーマウントに付着するように構成される。
【００２３】
滅菌患者ドレープは、閉止端が滅菌患者ドレープの遠位側にある閉止端を有するチューブ状突起と、そのチューブ状突起の閉止端は、滅菌トラッカーとトラッカー取付アームとの間で係合されても良く、チューブ状突起の閉止端は、トラッカー取付アームに取り付けられた滅菌トラッカーの位置に著しく影響しないように十分に薄くても良い。
【００２４】
コンピュータ実装方法が開示され、方法は、患者の手術の非滅菌段階中に使用される非滅菌トラッカーと、患者の手術の滅菌段階中に非滅菌トラッカーの代わりに使用される滅菌トラッカーとの形状の違いを、コンピューティング装置によって格納するステップと、非滅菌段階中の非滅菌トラッカーに対するカメラの位置合わせをコンピューティング装置によって計算するステップと、非滅菌トラッカーの代わりに滅菌トラッカーが使用され、患者が患者ドレープで覆われている滅菌段階中、姿勢を計算する際に、コンピューティング装置によって格納された位置合わせ及び形状の違いを使用するステップとを含む。
【００２５】
コンピュータ実装方法は、更新された位置合わせを計算するステップの前に、患者ドレープが適用される前に取付アームに取り付けられたときの非滅菌トラッカーと、アダプタの形状の特徴に基づいて患者ドレープが適用された後に患者ドレープの滅菌トラッカーアダプタを介して取付アームに取り付けられたときの滅菌トラッカーとの相対位置であって、滅菌トラッカーアダプタの形状の特徴に基づいた相対位置を、コンピューティング装置によって格納するステップと、非滅菌トラッカーの代わりに滅菌トラッカーが使用され、患者が患者ドレープで覆われている滅菌段階中、姿勢を計算する際に、コンピューティング装置によって格納された相対位置を使用するステップとを更に含んでも良い。
【００２６】
ナビゲート式の医療処置を実施するシステムが開示され、システムは、命令を格納する記録媒体を備え、命令は、コンピューティング装置で実行されると、患者の解剖学的構造に対して第１の位置関係を有するカメラと患者の解剖学的構造に対して第２の位置関係を有するトラッカーとの間の第１の姿勢を捕捉し、患者の解剖学的構造に対して第３の位置関係を有するカメラと第２の位置関係を有するトラッカーとの間の第２の姿勢を捕捉し、第１の位置合わせ、第１の姿勢、および第２の姿勢に基づいて、患者の解剖学的構造に対するカメラの更新された位置合わせを計算するように、コンピューティング装置を構成する。
【００２７】
システムは、カメラを第１の位置関係で保持し、更にカメラが第３の位置関係へと移動できるように位置調節可能であるように更に構成された、カメラ取付アームを備えても良い。
【００２８】
システムは、トラッカーが第２の位置関係を有するように取り付けられても良い。
【００２９】
システムは、トラッカーを第２の位置関係で保持するトラッカー取付アームを備えても良い。
【００３０】
命令は、姿勢データと患者の解剖学的構造の医用画像とに基づいた第１の位置合わせを計算するように、コンピューティング装置を構成しても良い。
【００３１】
命令は、カメラを移動させるか又は姿勢を補足するかの少なくとも１つ機能を実行するようにユーザに指示する、図形による指示を表示装置に提供するように、コンピューティング装置を構成しても良い。
【００３２】
命令は、第１の姿勢を捕捉した後であって第２の姿勢を捕捉する前に、カメラの作業範囲と手術部位との位置合わせを表す図形による指示を表示装置に提供するように、コンピューティング装置を構成しても良い。
【００３３】
コンピュータ実装方法が開示され、方法は、患者の解剖学的構造に対して第１の位置関係を有するカメラと患者の解剖学的構造に対して第２の位置関係を有するトラッカーとの間の第１の姿勢を、コンピューティング装置によって捕捉するステップと、患者の解剖学的構造に対して第３の位置関係を有するカメラと第２の位置関係を有するトラッカーとの間の第２の姿勢を、コンピューティング装置によって捕捉するステップと、第１の位置合わせ、第１の姿勢、および第２の姿勢に基づいて、患者の解剖学的構造に対するカメラの更新された位置合わせをコンピューティング装置によって計算するステップとを含む。
【００３４】
コンピュータ実装方法は、姿勢データと患者の解剖学的構造の医用画像とに基づいて、第１の位置合わせをコンピューティング装置によって計算するステップを更に含んでも良い。
【００３５】
コンピュータ実装方法は、カメラを移動させるか又は姿勢を捕捉する機能の少なくとも１つを実施するようにユーザに指示する図形による指示を、コンピューティング装置によって表示装置に提供するステップを更に含んでも良い。
【００３６】
コンピュータ実装方法は、第１の姿勢を捕捉した後であって第２の姿勢を捕捉する前に、カメラの作業範囲と手術部位との位置合わせを表す図形による指示を、コンピューティング装置によって表示装置に提供するステップを更に含んでも良い。
【００３７】
患者の解剖学的構造を視覚化するシステムが開示され、システムは、患者の解剖学的構造に対して固定の位置関係を有するトラッカーから、姿勢データを含む光学信号を受信し、光学信号をコンピューティング装置に通信するように構成されたカメラと、命令を格納する記録デバイスとを備え、命令は、コンピューティング装置で実行されると、患者の解剖学的構造の医用画像に基づいた患者の解剖学的構造の少なくとも１つのビューを、表示装置に提供してユーザに対して表示し、姿勢データを含む光学信号をカメラから受信し、姿勢データ及び位置合わせデータに基づいて、患者の解剖学的構造に対するカメラの姿勢を計算し、カメラ基準の参照面およびカメラの姿勢に基づいてビューを変更するように、コンピューティング装置を構成する。トラッカーは患者に非侵襲的に取り付けられても良い。カメラは手持ち式であっても良く、カメラの移動によってコンピューティング装置がビューを変更しても良い。カメラはヘッドマウント式であっても良く、頭部の移動によってコンピューティング装置がビューを変更しても良い。表示装置はヘッドマウントディスプレイを含んでも良く、ディスプレイに提供されるビューは患者のユーザビュー上に重ね合わされても良い。表示装置は、ユーザが表示装置を通して見ることができるように透明であっても良い。表示装置に提供されるビューは部分的に透明であっても良い。システムは、患者の解剖学的構造上にカメラ基準の参照面に対応する可視パターンを投影するプロジェクタを更に備えても良い。カメラ基準の参照面は、カメラの光学軸に垂直、且つカメラから前記光学軸に沿って正の距離ｄだけ離れた１の面であって、患者の解剖学的構造の関心範囲がカメラから距離ｄに位置するときにトラッカーがカメラの視野内にあるような面であっても良い。距離ｄは変更可能に構成されても良い。
【００３８】
コンピュータ実装方法が開示され、方法は、患者の解剖学的構造の医用画像に基づいて、患者の解剖学的構造の少なくとも１つのビューを、コンピューティング装置によって表示装置に提供してユーザに対して表示するステップと、患者の解剖学的構造に対して固定の位置関係を有するトラッカーの姿勢データを含むカメラからの光学信号を、コンピューティング装置によって受信するステップと、姿勢データ及び位置合わせデータに基づいて、患者の解剖学的構造に対するカメラの姿勢をコンピューティング装置によって計算するステップと、カメラ基準の参照面およびカメラの姿勢に基づいて、コンピューティング装置によってビューを変更するステップとを含む。
【００３９】
これら及び他の態様が当業者には明白となるであろう。本明細書の一部の教示は、システム（若しくは装置）又は方法（もしくはシステム）などの１つの態様を参照して記載されることがあるが、等価の態様が適用可能であるように本明細書に含まれることが理解されるであろう。例えば、コンピュータシステムが本明細書で開示される場合、等価のコンピュータ実装方法も含まれ、その逆もまた真である。コンピュータシステムを構成するか、又はコンピュータ実装方法を実施する命令を格納する非一時的媒体を備える、等価のコンピュータプログラム製品も、開示のコンピュータシステム（若しくは情報処理装置）及びコンピュータ実装方法に対して想起される。
【００４０】
本明細書に開示する実施形態は、本出願の一部を形成する詳細な説明および対応する図面から、更に十分に理解されるであろう。
【図面の簡単な説明】
【００４１】
【図１】ヘッドクランプに取り付けられたカメラ及びプローブに取り付けられたトラッカーを使用するナビゲート式の頭蓋処置で用いられる術中位置推定システムを示す図である。
【図２】放射形メカニズムコネクタを備えたヘッドクランプを示す図である。
【図３】放射形メカニズムコネクタを備えた取付アームを示す図である。
【図４】グースネック形メカニズムを備えた代替の取付アームを示す図である。
【図５】カメラがヘッドクランプに取付されているカメラ−ヘッドクランプアセンブリを示す図である。
【図６】カメラがカメラ取付アームに取り付けられているカメラ−取付アームアセンブリを示す図である。
【図７】カメラ及びトラッカーがヘッドクランプに取り付けられているカメラ−トラッカー−ヘッドクランプアセンブリを示す図である。
【図８】トラッカーがヘッドクランプに取り付けられたカメラが別個にカートに取り付けられた、術中位置推定システムを示す図である。
【図９】カメラドレープを備えた滅菌ドレープ付き術中位置推定システムを示す図である。
【図１０】カメラドレープ及び患者ドレープを備えた滅菌ドレープ付き術中位置推定システムを示す図である。
【図１１】カメラドレープと、患者ドレープと、滅菌バリアを破壊することなく患者ドレープの下で取付アームに取り付けられたトラッカーとを備えた、滅菌ドレープ付き術中位置推定システムを示す図である。
【図１２】滅菌トラッカー及び非滅菌トラッカーの形状の違いを格納し、患者に対する手術の滅菌段階中に姿勢を計算する際に、カメラ及び非滅菌トラッカーの位置合わせ並びに格納された違いを使用する、コンピュータ実装方法を示す図である。
【図１３】カメラを第１の姿勢から第２の姿勢へと移動させたとき、トラッカー及び患者の解剖学的構造に対するカメラの姿勢に基づいて、患者の解剖学的構造に対するカメラの位置合わせを更新する、コンピュータ実装方法を示す図である。
【図１４】患者の解剖学的構造の視覚化医用画像の４アップビューを示す図である。
【図１５】プローブに対して設定された直交断面を示す図である。
【図１６】カメラがユーザの手の中で移動可能であり、トラッカーが患者の頭部の構造に取り付けられる、手持ち式術中位置推定システムを示す図である。
【図１７】カメラ座標フレームの姿勢によって設定される直交参照面を示す図である。
【図１８】カメラ参照面およびカメラの姿勢に基づいて、医用画像中の患者の解剖学的構造の視野を変更する、コンピュータ実装方法を示す図である。
【図１９】カメラがユーザの頭部の構造に取り付けられ、トラッカーが患者の頭部の構造に取り付けられる、ヘッドマウント式術中位置推定システムを示す図である。
【図２０】プローブ及び対応する仮想プローブを示す図である。
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【発明を実施するための形態】
【００６１】
患者の解剖学的構造が関与するナビゲート式の外科的処置を実施するシステム及び方法を、本明細書に記載する。主要な実施例として、画像誘導頭蓋神経外科治療が提供されるが、本明細書に記載するシステム、デバイス、装置、方法、およびコンピュータ実装方法は、治療を要するあらゆる解剖学的構造（例えば、頭蓋、脊髄、骨盤、大腿骨、脛骨、臀部、膝、肩、もしくは足首）に適用されても良いことが明白であろう。
【００６２】
いくつかのシステム、方法、およびデバイスについて、実施形態として以下に記載する。特許請求の範囲は、実施例で説明する実施形態に限定されるべきではなく、明細書全体と一致する最も広範な解釈が与えられるべきである。
【００６３】
本明細書において、「一実施形態」、「好ましい実施形態」、「（１つの）実施形態」、または「（複数の）実施形態」という言及は、実施形態と関連して記載される特定の特徴、構造、特性、または機能が、少なくとも１つの実施形態に含まれ、１つを超える実施形態に含まれても良いことを意味する。また、本明細書中の様々な箇所におけるそのような語句は、同じ１つ若しくは複数の実施形態を必ずしも指すものではない。
【００６４】
情報処理装置は、少なくとも１つの処理装置と、本明細書で更に記載するように、情報処理装置の実行を構成するソフトウェア（命令および／またはデータ）を格納するメモリなど、少なくとも１つの記憶デバイスとを有する、ラップトップ、ワークステーション、又は他のコンピューティングデバイスを含んでも良い。
【００６５】
図１は、ナビゲート式の頭蓋（脳）処置に用いられる術中位置推定システム１００を示している。この術中位置推定システム１００では、カメラ１０２が、ヘッドクランプ１０８にしっかり取り付けられた、取付アーム１０４を介して取り付けられており、その視界は手術部位に向けられている。トラッカー１０６は機器１１０（例えばプローブ）に取り付けられており、カメラ１０２による検出のため、光学的に検出可能な特徴が設けられている。機器は、プローブ、組織を切断または切除する器具、組織を牽引する器具、または超音波プローブなどの結像器具など、手術環境で使用される任意の機器であっても良い。カメラ１０２は、カメラデータ（トラッカー１０６と関連付けられた画像データ又は姿勢データを含む）を情報処理装置１１４に送信する。情報処理装置１１４は、患者の解剖学的構造１１２（即ち、脳）に対する機器１１０の位置および向き（姿勢）を計算し、臨床関連情報を外科医に対して表示するのに必要な処理を実行する。情報処理装置１１４はまた、医用画像データ（患者の解剖学的構造、即ち頭部／脳の、磁気共鳴（ＭＲＩ）画像および／またはコンピュータ断層撮影（ＣＴ）画像等）を取得し、その医用画像に対するナビゲーション情報を更に表示しても良い。
【００６６】
術中位置推定システム１００は、患者の解剖学的構造１１２を位置合わせする。具体的に術中位置推定システム１００は、情報処理装置１１４が認識している術中位置推定システム１００の座標フレームにおける、患者の解剖学的平面／軸／特徴を位置合わせする。
【００６７】
手術中において、術中位置推定システムは、（１）術前セットアップ、（２）患者のセットアップ、位置合わせ、及び計画、ならびに（３）手術ナビゲーションという３つの段階で使用される。
【００６８】
術中位置推定システム１００を使用する場合の手術前のセットアップは、次の例示的なステップを含む。具体的には、（ａ）必要に応じて、位置合わせ及び計画に使用される非滅菌機器１１０を較正するステップ、（ｂ）患者の解剖学的構造１１２の医用画像データ（例えば、ＭＲＩデータ、ＣＴデータ）を情報処理装置１１４にロードするステップ、（ｃ）位置合わせの方法に応じて、必要であれば、位置合わせ用の目印を選択するステップである。手術前のセットアップステップは手術室に入る前に実施されても良い。例示の術中位置推定システム１００は小さく、可搬型なので、手術前のセットアップステップは、任意の便利な時間または場所で、訓練されたユーザによって現場外で実施されても良い。
【００６９】
機器１１０の較正は、一般に、機器１１０の「エフェクタ」と、機器と関連付けられたトラッカー１０６との空間的関係を、決定または確認することを指す。様々な器具／ジグ／ソフトウェアルーチンを、機器１１０の較正に使用しても良い。機器１１０の「エフェクタ」は、ナビゲーション情報が有用である機器１１０の状況を指す。例えば、生検針の先端、プローブのシャフト軸線、レーザーの軸線、面、もしくはパターン、埋込み可能なデバイスの位置および／または向きである。
【００７０】
術中位置推定システム１００を使用する患者のセットアップ、位置合わせ、及び計画は、以下の例示的なステップを含む。具体的には、（ａ）患者および術中位置推定システム１００を手術室に入れるステップ、（ｂ）患者の解剖学的構造１１２（即ち、頭部）を、ヘッドクランプ１０８で固定するステップ、（ｃ）カメラ１０２を取付アーム１０４に装着し、アームをヘッドクランプ１０８に接続するステップ、（ｄ）位置合わせ用の目印および／または特徴を位置推定して、「ローカライザシステムレジストレーション（Localizer System Registration)」と呼ばれるカメラ座標フレームと患者の解剖学的構造１１２（即ち、頭部）との位置合わせをし、任意に「イメージレジストレーション（Image Registration）」と呼ばれる、カメラ座標フレームと医用画像またはモデルとのマッピングとしての、カメラ１０２と患者の解剖学的構造１１２（即ち、頭部）との位置合わせをするステップ（「位置合わせ」という用語は、一般に、少なくともローカライザシステムレジストレーションを指すが、必要に応じて、イメージレジストレーションも含んでも良い）、（ｅ）位置合わせを検証するステップ（例えば、患者の解剖学的構造１１２（即ち、頭部）に対する追跡された機器１１０の仮想空間が、実際に追跡された機器１１０と患者の解剖学的構造（即ち、頭部）との物理的な空間的関係と合致することを確認する）、（ｆ）切除および／または生検を行うべき病変に向かう最適な経路とされる開頭術の位置を特定することによって、外科的処置を計画するステップである。
【００７１】
術中位置推定システム１００による手術ナビゲーションは、滅菌された外科的処置中の以下の例示的なステップを含む。具体的には、（ａ）患者に対して手術の準備処置をして、ドレープで覆うステップ、（ｂ）患者の解剖学的構造１１２（即ち、頭部）に対する位置を動かすことなく、カメラ１０２をドレープで覆うステップ、（ｃ）滅菌機器１１０（例えば、トラッカー１０６に接続されたプローブ）を較正するステップである。手術ナビゲーションは、滅菌か非滅菌かにかかわらず、少なくとも１つの機器１１０の姿勢を計算し、その機器１１０の表現（情報）を、情報処理装置１１４上における患者の解剖学的構造１１２（即ち、頭部）の医用画像に対して表示するステップを含む。任意に、術中位置推定システム１００のカメラ１０２に対する患者の位置が正確であるかをチェックするのに、更なる位置合わせの検証を実施しても良い。
【００７２】
ヘッドクランプ１０８は、患者の頭部の移動を拘束する任意のタイプのクランプであっても良い。図２は、３つの固定点２０４で圧締めすることによって患者の頭骨を固定する、メイフィールド式クランプの形態である例示のヘッドクランプ２００を示している。ヘッドクランプ２００は、ヘッドクランプ２００を手術台に、また任意に他の取付アームに接続する、コネクタ２０２を含んでも良い。ヘッドクランプ２００のコネクタ２０２は任意の形態のコネクタであっても良い。図２に示される例示のコネクタは、放射形メカニズムである。放射形メカニズムは、接続時の回転調節が可能であるが、固定されると、力または衝撃が加えられた時にずれにくい非常にしっかりした構造をもたらすので、しっかりとした接続をするのに有利である。
【００７３】
図３を参照すると、一実施形態では、取付アーム３００が設けられ、その取付アーム３００が、ヘッドクランプ１０８に装着するように構成されることで、患者の解剖学的構造１１２に対するしっかりした基準を提供する（即ち、頭骨、ヘッドクランプ１０８、及び取付アーム３００がしっかりした固定の位置関係を有する）。取付アーム３００には、カメラ１０２の位置合わせを可能にする、アームメカニズムに接続されたカメラマウント３０６が設けられる。取付アーム３００には、ヘッドクランプコネクタ２０２に対して（形状が）補完的なコネクタ３０２を設けても良い。補完的なコネクタ３０２は任意の形態のコネクタであっても良い。図３に示される例示の補完的なコネクタ３０２は、補完的な放射形メカニズムである。
【００７４】
取付アーム３００のコネクタ３０２は、ヘッドクランプ１０８にしっかり固定するのに使用され、任意に、更なる取付けのための（例えば、手術台に付着する、又は第２の取付アーム３００を取り付ける）、コネクタ３０２と同じ放射形の表面を持つ追加のコネクタを設けても良い。取付アーム３００は、好ましくは調節可能に、即ちカメラの作業範囲を、手術部位と呼ばれる外科用機器１１０の作業範囲と位置合わせできるように構成される。これによって、患者の解剖学的構造１１２（即ち、頭部）に対して、最大６つの自由度（ＤＯＦ）の位置調節を、取付アーム３００に提供することによって実現される。取付アーム３００は、位置合わせを実現する任意のメカニズムを組み込んでも良い。図３の例示の実施形態は、１ＤＯＦを提供する放射形コネクタ３０２と、別のＤＯＦを提供する角度継手３０８と、複数の自由度をそれぞれ提供する２つの玉継手３０４とを示しており、これらを統合して構成される、取付アーム３００のこの例示の実施形態は、６ＤＯＦの位置合わせを提供する。
【００７５】
手術部位に対して所望の向きで位置合わせされると、取付アーム３００はしっかりと適所で係止されなければならない。これは、係止可能な玉継手３０４、係止可能な角度継手３０８、係止可能なグースネック形メカニズム、又は他の任意の形態の移動可能であってしっかりと係止可能なメカニズムを含む、様々なメカニズムを介して実現しても良い。ユーザが取付アームを適所で係止できるように、ノブが設けられても良い。
【００７６】
図４を参照すると、やはり６ＤＯＦの位置合わせが可能である、代替のグースネック形取付アーム４００が示されている。グースネック形取付アーム４００の例示の実施形態は、６ＤＯＦの位置合わせを可能にする、「グースネック」アームメカニズム４０４に接続されたカメラ及び／又はトラッカーマウント４０６を備え、次いで、クランプ４０２に接続されて、グースネック形取付アームを、手術台、ヘッドクランプ１０８、又は手術環境の他の任意の表面にしっかり接続する。
【００７７】
例示の取付アーム３００及び代替のグースネック形取付アーム４００は、カメラの代わりにトラッカーを固定するように構成しても良い。
【００７８】
図５は、患者の解剖学的構造１１２（即ち、頭部）を保持するヘッドクランプ１０８と、取付アーム１０４と、カメラ１０２とを備え、カメラ１０２が患者の解剖学的構造１１２にほぼ向けられている（カメラの作業範囲と手術部位との位置合わせを示している）、例示のカメラ−ヘッドクランプアセンブリ５００を示している。
【００７９】
カメラ１０２は、カメラマウント３０６を介して取付アーム１０４にしっかり固定されても良く、それによって、カメラ１０２を取付アーム１０４に固定するしっかりした取付けメカニズムがもたらされる。カメラ１０２を取付アーム１０４に接続するしっかりしたメカニズムは、（例えば、一体的に形成されることによって、溶接、接着、もしくは締結を介して、カムロック、ねじ式コネクタ、ダブテール接続、または磁気コネクタを介して）カメラ１０２が取付アーム１０４に恒久的に取り付けられるものを含んでも良い。カメラマウント３０６のしっかりしたメカニズムは、少なくとも外科的処置のナビゲートされる間、カメラ１０２を取付アーム１０４に対して固定の位置で保持する。あるいは、カメラ１０２が取付アーム１０４のカメラマウント３０６から取り外され（例えば、便宜のため）、正確に同じ位置で再び取り付けられるように、着脱可能で反復可能な接続も想起される。この目的のため、磁気動的マウント（マグネティック・キネマティック・マウント）を含む、任意の高度に反復可能なメカニズムが想起される。カメラ取付アーム１０４は、ヘッドクランプ１０８のコネクタ２０２が、取付アーム１０４の補完的なコネクタ３０２に接続されていることによって、ヘッドクランプ１０８に接続される。
【００８０】
図６は、例示のカメラ−取付アームアセンブリ６００（図５のアセンブリ５００と同様）を示している。カメラ１０２は、カメラクランプ６０２を介して取付アーム１０４に取り付けられている（クランプ６０２は、上側部分および下側部分と、ねじ式調節メカニズムと、ヒンジ継手とを有しており、ねじ式調節メカニズムは、カメラ１０２をしっかりと適所で保持するのに十分な力を加えることができ、クランプ６０２は、力付与機構（例えば、磁石）と動的位置決め機構（この場合、噛合する半球形機構およびＶ字スロット）とで構成されるカメラマウント６０８を更に有する）。取付アーム１０４は補完的に噛合するカメラマウント３０６を提供する。その結果、（ａ）カメラ１０２／クランプ６０２を、カメラマウント３０６を介して取付アーム１０４に取り付けることができ、（ｂ）カメラ１０２／クランプ６０２を、カメラマウント３０６から外すことによって取付アーム１０４から取り外すことができ、（ｃ）カメラ１０２／クランプ６０２を、カメラマウント３０６を介して取付アームに対して正確に同じ位置関係で再び取り付けることができる。カメラ１０２は、シュラウドを任意に接続するように構成された機構６０４を含む。機構６０４は、（図示されるような）カメラ本体の形状から隆起した表面、または窪み（図示なし）、又はシュラウドの協働面（対応した面）を受け入れるそれらの組み合わせであっても良い。
【００８１】
いくつかの実施形態では、カメラが固定されていない、或いは手術部位に対するカメラ１０２の位置を移動または再位置付けする能力を有するかが望ましいことがある。これらの選択肢を容易にするため、システムは、例えばトラッカーに対する取付アームを介する等、ヘッドクランプ１０８に対して、固定のしっかりした位置関係のトラッカーを含んでも良い。
【００８２】
例えば、図７のカメラ−トラッカー−ヘッドクランプアセンブリ７００は、患者の解剖学的構造１１２（即ち、頭部）の移動を拘束するヘッドクランプ１０８に、カメラ１０２及びトラッカー７０８の両方を取り付けた場合を示している。カメラ１０２は、カメラマウント３０６を介してカメラ取付アーム１０４に取り付けられても良い。カメラ取付アーム１０４は、コネクタ３０２を介して、補完的なヘッドクランプコネクタ２０２に接続されても良い。カメラ１０２は、手術部位に向けられても良く、トラッカー７０８は、好ましくは、カメラ１０２の作業範囲内である位置で固定される（即ち、トラッカー７０８は、手術部位に近接しており、カメラ１０２の作業範囲内であるようにほぼ向けられている。）トラッカー７０８は、（外科的処置の間）恒久的にヘッドクランプ１０８にしっかり取り付けられていても良い。例えば、トラッカー７０８は、それ自体の取付アーム７０２と一体的に形成されても良く、そのアームは次いで、例えばクランプ７０４を介して、ヘッドクランプ１０８に接続される。トラッカー７０８はまた、トラッカーマウント７０６を介して（非常に高度に位置的に反復可能に）トラッカー取付アーム７０２に着脱可能および反復可能に連結されても良い。トラッカー７０８は、取付アーム７０２／ヘッドクランプ１０８にしっかり取り付けられると、患者の解剖学的構造１１２に対するしっかりした基準となるので、カメラ１０２を患者の解剖学的構造１１２に対してしっかりと固定する必要はない。本明細書で更に記載するように、情報処理装置１１４のソフトウェアは、トラッカー７０８と患者の解剖学的構造１１２との位置関係を位置合わせするように位置合わせを実施し、その後、カメラ１０２が位置合わせした位置と異なる位置にある場合であっても、カメラ１０２の視界（作業範囲）で患者の解剖学的構造１１２の姿勢を追跡するように構成しても良い。この構成の例示の利点としては、カメラ１０２の位置を外科的処置の途中に調節できること（例えば、手術部位のより良好な視角を獲得できること）、並びにカメラ１０２を、カート、手術台（標準的な手術台取付けレールを介する）など、患者の解剖学的構造１１２以外の物体に取り付けできること、又は手持ち式もしくは外科医にマウントする形（例えば、ヘッドマウント式）でカメラを使用できることが挙げられる。
【００８３】
図８は、カメラ１０２が、情報処理装置１１４を設置するカート８０２にしっかり取り付けられた、例示の術中位置推定システム８００を示している。カメラ１０２は取付アーム１０４に取り付けられ、そのアームは次いで、カート８０２にしっかり接続される。ヘッドクランプ１０８は患者の解剖学的構造１１２の移動を拘束する。トラッカー７０８は、トラッカーマウント７０６を介してトラッカー取付アーム７０２に取り付けられ、そのアームは次いで、例えばクランプ７０４を介して、ヘッドクランプ１０８にしっかり接続される。
【００８４】
滅菌／非滅菌環境で使用される患者およびカメラドレープ
図９〜１１を参照すると、術中位置推定システムを滅菌された外科的処置において使用することが望ましい。図９は、例示の滅菌ドレープ付き術中位置推定システム９００を示している。例示の術中位置推定システム９００では、カメラ１０２はカメラマウント３０６を介して取付アーム１０４に取り付けられる。カメラ１０２は更に、シュラウド９０２を介してカメラ１０２に固定された滅菌ドレープ９０４に封入される。滅菌ドレープ９０４は、取付アーム１０４をヘッドクランプコネクタ２０２においてヘッドクランプ１０８に取り付ける、取付アームコネクタ１０２の付近にある取付アーム１０４の基部まで延設される。ヘッドクランプ１０８は患者の解剖学的構造１１２（即ち、頭部）の運動を拘束する。カメラ１０２は、ケーブル９０８を介して情報処理装置１１４に接続される。
【００８５】
例示の実施形態では、術中位置推定システム９００は、遠位端に光学窓９０６を有する滅菌ドレープ９０４を含む。滅菌ドレープ９０４は、カメラ１０２を封入する長いチューブ状本体を含み、ケーブル９０８の近位部分は、カメラ１０２を情報処理装置１１４及び取付アーム１０４に接続する。滅菌ドレープ９０４は、取付アーム１０４の基部、即ちコネクタ３０２（即ちヘッドクランプ１０８のコネクタ２０２に対する接続部）で終端しても良い。ケーブルにおける近位部分は、一般的に、少なくとも、カメラから（多かれ少なかれ）取付アーム１０４の長さまで延設されるケーブルの部分である。この長さは、滅菌要件に影響を及ぼすことなく取付アーム１０４を移動させるのに十分な自由度を提供する。それよりもわずかに長い又は短い長さでも同様に機能し得る。ドレープ９０４によって、患者の頭部付近の手術位置もしくはその周りで、（滅菌性が維持されるべき手術中に）作業者または器具と接触することがある、ケーブルの部分が被覆される。
【００８６】
例示の術中局在化システム９００は、ドレープ９０４をカメラ１０２上の適所で保持するメカニズムを提供する。これは、ドレープ窓９０６を、カメラ１０２の光学部品（例えば、レンズ開口部（図示なし）周りのガラスもしくは他の材料）または光学経路と整列させて保持するために望ましい。このメカニズムは、シュラウド９０２によって実現しても良い。シュラウド９０２は、滅菌バリア（即ち滅菌ドレープ９０４をシュラウド９０２の本体とカメラ１０２との間に挟むことによるもの）を穿孔するか又は損なうことなく、ドレープ窓９０６をカメラの光学部品との固定の適正な位置で保持しながら、カメラ１０２のシュラウド接続機構６０４を介してカメラ１０２に機械的に嵌まるか若しくは別の形で接続する部材である。シュラウド９０２は、シュラウド９０２が有するばね力によって、カメラ１０２及びドレープ９０４の組み合わせ（アセンブリ）をともに保持しつつ、これらの方向を変更可能に構成しても良い。シュラウド９０２は、カメラ１０２上の補完的な位置決め機構と噛合するように形成された位置決め機構によって、シュラウド９０２とカメラ１０２との間の適正な位置合わせを可能に構成しても良い。また、ドレープ窓９０６は、光学信号を歪みのなく伝達できるように設けられ、剛性で薄く平らな、透明な材料で構成しても良い。
【００８７】
図１０を参照すると、更なる例示では、滅菌ドレープ付き術中位置推定システム１０００はシステム９００に類似しており、外科的処置のために患者もドレープで覆われる場合に使用される。カメラ１０２、シュラウド９０２、取付アーム１０４、ヘッドクランプ１０８（図示なし）、カメラドレープ９０４、及びドレープ窓９０６は、図９に示される例示の位置推定システム９００に関して上述したのと同様に配置されても良い。本実施形態において、患者ドレープ１００２は、患者およびヘッドクランプ１０８を被覆する。患者ドレープ１００２は、患者の解剖学的構造１１２（即ち、頭部）の手術部位を露出される開口部１００６を有する。患者ドレープ１００２は、カメラドレープ９０４で被覆されたカメラ１０２及び取付アーム１０４が、患者ドレープ１００２を通って突き出すことができるように、取付アーム１０４の開口部１００４が更に設けられる。ドレーピング手順は無菌技術にしたがって実施される。
【００８８】
患者ドレープ１００２とカメラドレープ９０４との境界面は、連続的な滅菌バリアを維持するようにしっかりと封止されても良い。この滅菌バリアを維持するため、滅菌患者ドレープ１００２及びカメラドレープ９０４を次のやり方で構成しても良い。滅菌弾性バンドを、患者ドレープ１００２の開口部をカメラ１０２ドレープ９０４の周りできつく保持するのに使用しても良い。弾性バンドは、別個の滅菌パッケージングである滅菌患者ドレープ１００２とカメラドレープ９０４とに設けられても良い。或いは、弾性バンドは、カメラドレープ９０４又は患者ドレープ１００２に予め取り付けられても良い。カメラドレープ９０４は、患者ドレープ１００２をカメラドレープ９０４の外周に沿ってドレープ９０４に接着できるように、カメラドレープ９０４の端部（窓側端部よりも遠位側）もしくはその付近に接着剤を有する、１つ又は複数の円周方向リング（若しくは、らせん）を備えても良い。接着リング（の接着面）は、ストリップによって被覆され、接着剤ストリップカバーを除去することによって使用のために（接着面を）露出させても良い。患者ドレープ１００２及びカメラドレープ９０４の境界面の長さに沿った所望の位置で使用されても良いように、複数の円周方向による接着リングを設けても良い。カメラドレープ９０４は、部分的に又は着脱可能に取り付けられた、接着剤ストリップを提供しても良い。接着剤ストリップを、カメラドレープ９０４を患者ドレープ１００２に対して定着するのに使用しても良い。かぎホック、プル式締結具など、滅菌バリアを維持するように構成された他の締結具が想起されても良い。
【００８９】
図１１を参照すると、特定の外科的ナビゲート式処置では、同じ処置において非滅菌環境および滅菌環境で術中位置推定システム１００を使用するのが望ましいことがある。例えば、神経外科的用途では、位置合わせ目印は非滅菌なので、滅菌野を確立する前に位置合わせ（即ち「ローカライザシステムレジストレーション」及び／又は「イメージレジストレーション」）を実施するのが望ましいことがある。
【００９０】
図１１は、滅菌ドレープ付き術中位置推定システム１１００を示している。例示の術中位置推定システム１１００は、滅菌カメラドレープ９０４があってもなくても使用されるように構成されているので、同じ外科的処置内で滅菌環境および非滅菌環境の両方で使用できる。滅菌カメラドレープ９０４は、カメラ１０２を患者の解剖学的構造１１２に対して移動させることなく、カメラ１０２及び／又は取付アーム１０４に適用しても良いので、手術環境が非滅菌環境の間と、ドレーピング技術が適用されて手術環境を滅菌環境とした後で、カメラ１０２の位置は同じである。例示の術中位置推定システム１１００が滅菌環境で使用されるとき、滅菌環境を維持するために、滅菌機器１１０のみの使用を要する。対照的に、例示の術中位置推定システム１１００が非滅菌環境で使用されるとき、非滅菌機器１１０（非滅菌位置合わせ機器１１０）を使用しても良い。
【００９１】
上述したように、トラッカー７０８を患者の解剖学的構造１１２（即ち、頭部）に対してしっかり固定することが有利である。トラッカー７０８を滅菌環境で患者の解剖学的構造１１２に対してしっかり固定するのが望ましい。図１１に示される例示の実施形態では、滅菌トラッカー７０８は、患者ドレープ１００２を通してヘッドクランプ１０８にしっかり取り付けられる。患者ドレープ１００２は、患者の解剖学的構造１１２が見えるようにする窓１００６を含む。滅菌トラッカー７０８は、滅菌性を損なうことなく、患者ドレープ１００２を通して非滅菌トラッカーマウント１１０２に接続される。患者ドレープ１００２は、トラッカー取付アーム７０２に取り付けるための非滅菌側アダプタと、滅菌トラッカー７０８及び／又は滅菌トラッカーマウント１１０２に取り付けるための滅菌側アダプタとを含んでも良い。これらのアダプタの形状の特徴は情報処理装置１１４が認識しているので、非滅菌トラッカー７０８（患者ドレープ１００２が適用される前にトラッカー取付アーム７０２に取り付けられる）と滅菌トラッカー７０８（患者ドレープ１００２が適用された後にトラッカー取付アーム７０２に取り付けられる）との相対位置は、術中位置推定システム１１００には認識されている。それに加えて、トラッカー７０８における光学的に検出可能な特徴の位置も、認識されていても良い。
【００９２】
滅菌トラッカー７０８はまた、患者ドレープ１００２を貫通し、トラッカー取付アーム７０２及び／又はトラッカーマウント１１０２に固定するように構成しても良い。これによって、患者ドレープ１００２の貫通部分がトラッカー７０８の基部によって被覆される（塞がれる）ので、患者ドレープ１００２の滅菌側が汚染する確率を非常に低くできる。
【００９３】
患者ドレープ１００２は、滅菌トラッカー７０８とトラッカー取付アーム７０２との間に挟まれても良い。患者ドレープ１００２は十分に薄いので、トラッカー取付アーム７０２上における滅菌トラッカー７０８の位置に著しく影響することはなく、更に外科的処置中の患者ドレープ１００２の移動によって、滅菌トラッカー７０８がトラッカー取付アーム７０２から外れることがないように、滅菌トラッカー７０８とトラッカー取付アーム７０２との間を十分強力に接続できる。
【００９４】
術中位置推定システム１１００は、外科的処置の異なる段階で滅菌トラッカー７０８及び非滅菌トラッカー７０８を使用しても良い。滅菌トラッカー７０８は非滅菌トラッカー７０８と同じ形状でも良く、或いはそれぞれ異なった形状でも良く、その場合、これらの形状の違いを情報処理装置１１４が認識し、外科的処置の異なる段階における姿勢の計算の因子として、適宜加えられても良い。
【００９５】
カメラ１０２、カメラ取付アーム１０４、カメラドレープ９０４、カメラドレープ窓９０６、及びシュラウド９０２は、上述した滅菌ドレープ付きカメラ術中位置推定システム１０００と同様に構成しても良い。カメラ取付アーム１０４はカメラ取付アーム開口部１００４から突出する。カメラ１０２に、ユーザインターフェース（例えば、ボタン、インジケータ灯、および／またはディスプレイからなる）を設けても良い。術中位置推定システム１１００は、滅菌時および非滅菌時の両方で、ユーザがユーザインターフェースにアクセス可能にしても良い。カメラドレープ９０４が適用されることで、手術環境が滅菌である場合に、滅菌カメラドレープ９０４を通して、ユーザインターフェースにアクセス可能および／または機能可能に構成されても良い。これは、例えば、透明で可撓性を有する材料からなるカメラドレープ９０４で実現されても良い。
【００９６】
次に、図１２を参照して、非滅菌トラッカーと滅菌トラッカー７０８との形状の違いを格納し、患者に対する手術の滅菌段階中において姿勢を計算する際に、カメラ１０２と非滅菌トラッカー７０８との位置合わせ、並びに格納された形状の違いを使用する、コンピュータ実装方法１２００を説明する。情報処理装置１１４は（１２０２で）、患者の手術の非滅菌段階中に使用される非滅菌トラッカー７０８と、患者の手術の滅菌段階中に使用される滅菌トラッカー７０８との形状の違いを格納する。情報処理装置１１４は（１２０４で）、非滅菌段階中の非滅菌トラッカー７０８に対するカメラ１０２の位置合わせを計算する。非滅菌トラッカー７０８の代わりに滅菌トラッカー７０８が使用され、患者が患者ドレープ１００２で覆われている滅菌段階中において、情報処理装置１１４は（１２０６で）、姿勢を計算する際に、位置合わせ及び情報処理装置１１４に格納された形状の違いを使用する。
【００９７】
一実施形態では、情報処理装置１１４は、患者ドレープ１００２が適用される前に取付アーム７０２に取り付けられたときの非滅菌トラッカー７０８と、患者ドレープ１００２が適用された後に患者ドレープ１００２の滅菌トラッカーアダプタを介して取付アーム７０２に取り付けられたときの滅菌トラッカー８０９とにおける、滅菌トラッカーアダプタの形状の特徴に基づいた相対位置を格納しても良い。非滅菌トラッカー７０８の代わりに滅菌トラッカー７０８が使用され、患者が患者ドレープ１００２で覆われている滅菌段階中に、情報処理装置１１４が姿勢を計算する際に格納された相対位置を使用しても良い。
【００９８】
「カメラ移動」機能
例えば、外科的処置の一部として追跡されている機器１１０のより良好な視角を達成するために、カメラ１０２の位置を再設定するのが望ましい。しかしながら、カメラ１０２がヘッドクランプ１０８にしっかり取り付けられている場合、カメラ１０２と患者の解剖学的構造１１２との位置関係は位置合わせされていることがあり、カメラ１０２の移動によって、この位置合わせが損なわれてしまう。
【００９９】
本明細書では、患者の解剖学的構造１１２に対する機器１１０の位置および向きの追跡を可能にする位置合わせを維持したまま、カメラ１０２を複数の位置および向きの間で移動させることができる、「カメラ移動」機能を提供するシステムが開示される。
【０１００】
情報処理装置１１４のメモリに格納される、カメラ１０２と患者の解剖学的構造の位置合わせを生成するため、カメラ１０２を患者の解剖学的構造１１２に取り付け後に、カメラ１０２は、以下のシステムを使用して、位置合わせを損なうことなく、その位置を変更しても良い。トラッカー７０８は、滅菌または非滅菌のどちらであっても、ヘッドクランプ１０８にしっかり取り付けられるので、カメラ１０２の視界内で追跡可能である。情報処理装置１１４は、カメラ１０２と患者の解剖学的構造１１２に対してしっかり取り付けられたトラッカー７０８との第１の姿勢を捕捉し、この第１の姿勢に基づいて、トラッカー７０８と患者の解剖学的構造の位置合わせ（即ちトラッカー７０８の座標フレームと患者の解剖学的構造１１２間との位置合わせ）を計算し、この位置合わせを情報処理装置１１４のメモリに格納する。次に、しっかり取り付けられたトラッカー７０８の対象となる手術部位がカメラ１０２の視界および作業範囲内で追跡できる範囲内で、カメラ１０２を所望の位置に変更する。情報処理装置１１４は、カメラ１０２に対してしっかり取り付けられたトラッカー７０８と、患者の解剖学的構造１１２との第２の姿勢を捕捉し、新しいカメラとトラッカーの位置合わせ（即ち新しい位置および向きにあるカメラ１０２の座標フレームと、しっかり取り付けられたトラッカー７０８との位置合わせ）を計算する。次に情報処理装置１１４のメモリに格納されたトラッカーと患者の解剖学的構造との位置合わせを、新しいカメラとトラッカーの位置合わせに適用することによって、新しいカメラと患者の解剖学的構造の位置合わせ（即ち新しい位置および向きにあるカメラ１０２の座標フレームと患者の解剖学的構造１１２の座標フレームとの位置合わせ）を計算する。
【０１０１】
情報処理装置１１４のメモリは、カメラ１０２の姿勢の捕捉の仕方や、それに応じた位置合わせの計算を、ユーザに対して表示する命令を含んでも良い。情報処理装置１１４はまた、上述のステップをガイドする図形による指示を、ユーザに対して情報処理装置１１４のディスプレイに表示しても良い。
【０１０２】
情報処理装置１１４は更に、第１の姿勢を捕捉した後であって第２の姿勢を捕捉する前に、どのようにしてカメラの作業範囲を手術部位に合わせるかの図形による指示を表示するように構成しても良い（即ちカメラの視野を変更された手術部位に合わせるのを助ける、視覚的フィードバックをユーザに与えるため）。
【０１０３】
次に図１３を参照して、カメラ１０２を第１の姿勢から第２の姿勢へと移動させたとき、トラッカー７０８及び患者の解剖学的構造１１２に対するカメラの姿勢に基づいて、患者の解剖学的構造１１２に対するカメラ１０２の位置合わせを更新する、コンピュータ実装方法１３００を説明する。情報処理装置１１４は（１３０２で）、患者の解剖学的構造１１２に対して第１の位置関係を有するカメラ１０２とトラッカー７０８との間の第１の姿勢を捕捉する。情報処理装置１１４は（１３０４で）、患者の解剖学的構造１１２に対して第３の位置関係を有するカメラ１０２とトラッカー７０８との間の第２の姿勢を捕捉する。第１の姿勢、第２の姿勢、および第１の位置合わせを使用して、情報処理装置１１２は（１３０６で）、患者の解剖学的構造１１２に対するカメラ１０２の更新された位置合わせを計算する。
【０１０４】
患者の解剖学的構造の視覚化
画像誘導による医学的な治療処置の計画および実行中、ナビゲーションシステムに対して患者の解剖学的構造１１２を視覚化する必要がある。患者の解剖学的構造の「４アップ」（「４−ｕｐ」）式の視覚化像を、患者の解剖学的構造１１２の三次元（「３Ｄ」）医用画像（例えば、ＭＲＩ又はＣＴ画像）の複数の面を表示しても良い。
【０１０５】
図１４は、術中位置推定システムの情報処理装置のディスプレイに表示される「４アップ」ビュー１４００を示している。「４アップ」式の視覚化像１４００は、患者の３Ｄ医用画像内の現在の位置に関して、（１）患者の解剖学的構造１１２の冠状面１４０２における３Ｄ医用画像の二次元断面と、（２）患者の解剖学的構造１１２の矢状面１４０４における３Ｄ医用画像の二次元断面と、（３）患者の解剖学的構造１１２の横断面１４０６における３Ｄ医用画像の二次元断面と、（４）３Ｄ医用画像の等角図１４０８とを含む。
【０１０６】
外科的処置におけるナビゲーション中、「４アップ」ビュー１４００は、ナビゲート式外科用機器１１０の位置に基づいてリアルタイムに更新しても良い。例えば、３Ｄ医用画像の二次元の冠状、矢状、および横断面（１４０２、１４０４、１４０６）は、追跡されたプローブの位置を反映するようにリアルタイムで更新されても良く、その場合、３Ｄ画像の冠状、矢状、および横断二次元断面の面（１４０２、１４０４、１４０６）は、患者の解剖学的構造１１２に対する現在のプローブの先端を反映する。
【０１０７】
等角図１４０８を、関心のある解剖学的特徴の視覚化を促すように変更しても良い。例えば、等角図１４０８を患者の解剖学的構造１１２の切断図、即ち関心のある領域における解剖学的な範囲（例えば、脳）の内部が表示されるように変更しても良い。関心のある領域は、手術前における計画中に特定される構造または病変を含んでも良い。更に、関心のある領域は、解剖学的構造内の他の範囲と視覚的に区別されるように表示されても良い。例えば、関心のある領域は、手術前に特定されても良く、他の解剖学的構造とは独立して視認および／または操作できるように医用画像内において手術前に細分化（セグメント化）されても良い。
【０１０８】
等角図１４０８を、追跡されたプローブの姿勢に基づいてリアルタイムに変更しても良い。例えば、追跡されたプローブの姿勢に基づいて、患者の解剖学的構造１１２の切断図が表示されても良い。図１５は、プローブ１５１４の姿勢によって設定される直交三次元断面１５００を示している。プローブは、光学的に追跡可能な機構を有する、シャフト１５０８と、先端１５１０と、本体１５１２とを備えても良い。第１の断面１５０２は、プローブ１５１４のシャフト１５０８に垂直であって、プローブ１５１４の先端１５１０によって規定される点を含むものとして設定される。第２の断面１５０４は、プローブ１５１４の前面に平行であって、プローブ１５１４のシャフト１５０８によって規定されるベクトルを含むものとして設定される。第３の断面１５０６は、プローブ１５１４の前面に垂直であって、プローブ１５０４のシャフト１５０８によって規定されるベクトルを含むものとして設定される。
【０１０９】
図１６は、カメラ１０２の視界１６１０にあるトラッカー７０８の姿勢を追跡しながら、ユーザの手１６１２で保持されているカメラ１０２を示し、トラッカー７０８が患者の解剖学的構造１１２（即ち、頭部）に対して位置合わせされる、手持ち式の術中位置推定システム１６００を示している。位置合わせは、患者の解剖学的構造１１２に対する患者の医用画像に対する上記の「イメージレジストレーション」を含む。トラッカー７０８は患者の解剖学的構造１１２に対して、取付構造１６１４を介してヘッドクランプ１０４に取り付けられても良い。その取付構造１６１４は、患者の解剖学的構造１１２に直接固定されても良い（例えば、骨ねじ、吸盤、弾性ストラップ、若しくは耳、鼻、目などの患者の構造によらない眼鏡式フレームような構造物を介して）。トラッカー７０８は、患者の解剖学的構造１１２に取り付けられた、（光学的に）追跡可能なアレイを形成する個々の基準マーカーを含んでも良い。いくつかの適用例では、トラッカー７０８が、非侵襲的な（生体を傷つけないような）手段（例えば、吸盤、弾性ストラップ、眼鏡フレーム、ステッカー、個々に取付け可能な基準マーカー、クランプ）によって取り付けられるのが有利なことがある。また、いくつかの適用例では、トラッカー７０８が、骨ねじなどの侵襲的な手段を使用して、骨に直接しっかり固定されるのが有利なことがある。図１６に示される例示の実施形態では、トラッカー７０８は、ヘッドバンドと患者の耳および鼻梁（鼻柱）に接触するフレームとを含む取付構造１６１４を介して、患者の解剖学的構造１１２（即ち、頭部）に取り付けられる。この実施形態では、カメラ１０２の姿勢を、情報処理装置１１４に表示される視覚化像を変更するのに使用されても良い（例えば、冠状面１４０２、矢状面１４０４、横断面１４０６及び等角図１４０８がカメラ１０２の座標フレームに対応するように、カメラ１０２の姿勢を変更する）。
【０１１０】
図１７は、カメラ座標フレームによって設定される、カメラ１０２基準の直交参照面１７００を示している。カメラ１０２はユーザの手１６１２で保持されても良く、直交三次元断面１７００がカメラ１０２の現在の姿勢と対応するように設定される。４アップビュー１４００（図１４）に表示される冠状面１４０２を変更するのに使用されるカメラ基準の参照面が、冠状面１７０２である。４アップビュー１４００に表示される矢状面１４０４を変更するのに使用されるカメラ参照面が、矢状面１７０４である。４アップビュー１４００に表示される横断面１４０６を変更するのに使用されるカメラ参照面が、横断面１７０６である。直交参照面（冠状面１７０２、矢状面１７０４、及び横断面１７０６）はそれぞれ、カメラ１０２から離れた共通の原点１７０８を共有しても良い。図１７に示される例示の実施形態では、原点１７０８は、光学軸１７１２に沿ってカメラ１０２から距離「ｄ」だけ離れている。距離「ｄ」は任意の距離であっても良く、ユーザによって選択されても良い。更に、距離「ｄ」は、任意の関心のある解剖学的構造が原点１７０８に配置されたとき、トラッカー７０８がカメラ１０２によって見える（即ちトラッカー７０８がカメラ１０２の作業範囲内にある）ように、選択されても良い。冠状面１７０２は更に、カメラ１０２の光学画像装置１７１０の面に対して平行であって、カメラ１０２の光学軸１７１２に対して垂直であるように設定されても良い。矢状面１７０４は更に、カメラの光学画像装置１７１０の面に対して垂直であって、カメラ１０２の垂直軸１７１４のベクトルに対して平行であるように設定されても良い。横断面１７０６は更に、カメラ１０２の光学画像装置１７１０の面に対して垂直であって、カメラ１０２の垂直軸１７１４のベクトルに対して垂直であるように設定されても良い。解剖学的面の代わりに、冠状面１７０２、矢状面１７０４、及び横断面１７０６を使用することで、情報処理装置１１４のディスプレイに表示される４アップ式の視覚化像に示される「スライス」によって、患者の解剖学的構造１１２を視覚化しても良い。あるいは、患者の解剖学的な参照面が使用されても良い。システムは、ユーザが、例えばカメラ１０２に位置するボタンを介して、どの参照面が表示されるかを（即ちカメラ基準または患者基準で）選択可能にしても良い。等角図１４０８も、二次元スライスと併用して、又はそれとは独立して、カメラ基準の参照面１７０２、１７０４、１７０６に対応するように変更されても良い。等角図１４０８がスライスとは独立して、カメラ基準の参照面１７０２、１７０４、１７０６に対応するように変更される場合、情報処理装置１１４のディスプレイに表示される４アップ式の視覚化像の二次元スライスは、患者基準の冠状面、矢状面、及び横断面のままである。
【０１１１】
次に、図１８を参照して、カメラ参照面およびカメラの姿勢に基づいて、医用画像中の患者の解剖学的構造のビューを変更する、コンピュータ実装方法１８００を説明する。情報処理装置１１４は（１８０２で）、患者の解剖学的構造１１２の少なくとも１つのビューを、ユーザに対して表示する。情報処理装置１１４は（１８０４で）、患者の解剖学的構造１１２に対して固定の位置関係を有するトラッカー７０８の姿勢データを含む、カメラ１０２からの光学信号を受信する。姿勢データを使用して、情報処理装置１１４は（１８０６で）、患者の解剖学的構造１１２に対するトラッカー座標フレームの位置合わせを計算し、（１８０８で）患者の解剖学的構造１１２に対するカメラ１０２の姿勢を計算する。情報処理装置は（１８１０で）、カメラ基準の参照面、および患者の解剖学的構造１１２に対するカメラ１０２の姿勢に基づいて、少なくとも１つのビューを変更する。
【０１１２】
情報処理装置１１４のディスプレイに表示されるビューとカメラ１０２のビューとの視覚的関係を改善するのを支援するため、情報処理装置１１４のディスプレイに表示されるビューがカメラ基準の参照面１７０２、１７０４、１７０６に基づく場合、またはそれらによって変更される場合、カメラ１０２は、可視パターンを患者の解剖学的構造１１２上に投影する「プロジェクタ」を提供しても良い。プロジェクタは、可視パターンを患者の解剖学的構造１１２上に投影する任意の手段であっても良い。例えば、可視パターンは２つの平面レーザーを介して生成されても良く、平面レーザーは、互いに垂直であって、矢状面１７０４及び横断面１７０６に対して平行であり、更に原点１７０８を通り、カメラから距離「ｄ」だけ離れている。このように、参照面が患者の外表面（例えば、患者の皮膚）と交差する位置は、患者上に物理的に表現されても良く、情報処理装置１１４のディスプレイに表示されるビューは、それらの同じ参照面に基づいたものとなる。あるいは、線が原点を通る、線生成レーザーが使用されても良い。したがって、ユーザは、表示されるビュー及び患者上に投影されるパターンに基づいて、患者の解剖学的構造１１２の視覚化を改善できる。
【０１１３】
図１９を参照すると、別の実施形態では、手持ち式の代わりに、カメラ１０２及びディスプレイ１９０２は、ヘッドマウント式であっても良く、外科医１９０６が着用する拡張現実ヘッドセット１９０４に収容されても良い。ディスプレイ１９０２は、プロジェクタとその上に投影される投影面とを含んでも良い。図１９の例示では、投影面は、眼鏡フレームが支持するレンズなど、ヘッドセット１９０４のガラス又はプラスチックの表面であっても良い。ヘッドセット１９０４は、１つ又は複数のケーブル／配線１９０８などを介して情報処理装置１１４に連結されて、拡張現実システム１９００を提供しても良い。情報処理装置１１４はまた、外科医１９０６又はその他に対して情報を提示する、統合型のディスプレイ表示装置（例えば、ディスプレイ画面）を備えても良い。本明細書に記載されるように、情報処理装置１１４は、外科医１９０６が頭部を移動させたときに、トラッカー７０８及び患者の解剖学的構造１１２に対するカメラ１０２の姿勢を計算する。これにより、ユーザ（外科医１９０６）における患者の実際のビューと、患者の解剖学的構造１１２の仮想ビューとの重ね合わせを、適正な位置合わせで実現できる。ヘッドセットは情報処理装置１１４自体を組み込んでも良い（図示なし）。カメラ１０２が外科医１９０６の目とより近くに位置するように、ヘッドセット１９０４のフレームの角部、ガラス／プラスチックレンズの一部分の前方などに配置されても良い。
【０１１４】
かかる拡張現実システム１９００におけるディスプレイ１９０２を透過式とすることで、外科医１９０６が情報処理装置１１４のディスプレイ１９０２を通して患者を直接見ることができる。情報処理装置１１４は、カメラ１１２から患者の解剖学的構造の画像をリアルタイムに受信しても良い。このようなカメラ１１２からのこのリアルタイムな画像の受信は、情報処理装置１１４のディスプレイ１９０２に表示されても良い。重ね合わされた患者の解剖学的構造１１２の仮想ビューは、不透明または部分的に透明であっても良い。任意のヘッドセットの実施形態では、情報処理装置１１４の非拡張現実ディスプレイに表示される「４アップ」ビューではなく、単一のビューのみを表示するのが好ましいことがある。単一のビューが表示される場合、冠状面１７０２及び原点１７０８に基づいても良い。任意の予め特定された（患者の医用画像において予め特定された）関心のある領域の仮想ビューはまた、カメラ座標フレームに一致する視点を持続的に表示しても良く、これによって、外科医１９０６における患者の解剖学的構造１１２の実際の視点が表示される。
【０１１５】
手持ち式かヘッドマウント式かにかかわらず、カメラの姿勢に基づいて４アップビューを変更するこれらの代替実施形態の利点は、基礎となる患者の解剖学的構造１１２をより直感的な形でユーザに対して表示することである。
【０１１６】
更に、患者に取り付けられたトラッカー７０８と、ユーザによって姿勢を操作することができるカメラ１０２との相対的な姿勢は、ユーザに対して表示される等角図１４０８のパン及びチルトを制御するのに使用されても良い。カメラ１０２はボタンを提供しても良く、該ボタンが押されると、カメラ１０２に接続された情報処理装置１１４がパン又はチルトモードに入り、トラッカー７０８及びカメラ１０２の相対的な姿勢を変更することによって、表示された等角図１４０８のパン及び／又はチルトを変化させる。チルトモードでは、例えば、トラッカー７０８及びカメラ１０２の相対的な姿勢の変化に対応して、医用画像の表示された等角図１４０８のチルトが変化する。パンモードでは、例えば、トラッカー７０８及びカメラ１０２の相対的な平行移動に対応して、医用画像の等角図１４０８が平行移動する。
【０１１７】
ナビゲーション手順の計画
一実施形態では、図２０を参照すると、術中位置推定システムは、外科的処置のナビゲーション手順の計画を支援する、仮想プローブを提供しても良い。図２０は、対応するプローブと仮想プローブとの対２０００を示している。システムは、本体２００８を備える仮想プローブ２００４を有する。その本体２００８は、光学的に追跡可能な機構と、ユーザが把持する部材やハンドルとを有する。また、仮想プローブ２００４は、物理的なシャフト又は先端を省略しても良い。仮想プローブ２００４を使用する術中位置推定システムは、仮想プローブ２００４の本体２００８から距離「ｄＴ」に位置する仮想先端２００６の位置を取得する、情報処理装置１１４を更に備えても良い。例えば、情報処理装置１１４は、仮想プローブの定義（例えば、プローブモデル）を格納するか、又はその格納された定義を取得する。そして、情報処理装置１１４は、患者の解剖学的構造１１２のナビゲーション表示を提供し、表示されるビューは仮想プローブ２００４の仮想先端２００６の位置に基づいて変更される。システムはまた、光学的に追跡可能な機構とユーザが把持する位置とを有する本体１５１２、並びに本体１５１２から延設されるシャフト１５０８及び先端１５１０を有する、プローブ１５１４を提供しても良い。プローブ１５１４及び仮想プローブ２００４は、それぞれの本体１５１２、２００８に、類似または同一の機構を有しても良い。２つのプローブ１５１４、２００４の主な違いは、プローブ１５１４は位置推定のための先端１５１０を有する物理的なシャフト１５０８を設けるが、仮想プローブ２００４は該シャフト１５０８が設けられないことである。更なる実施形態では、情報処理装置１１４によって取得される、仮想プローブ本体２００８に対する仮想先端２００６の位置は、プローブ本体１５１２に対するプローブ１５１２の物理的先端１５１０の位置と同じである。システムは更に、非滅菌環境では仮想プローブ２００４を、滅菌環境ではプローブ１５１４を提供するように構成しても良い。
【０１１８】
ナビゲート式の医療処置を実施するシステムが開示され、システムは、取付アームによって患者の解剖学的構造に対して取り付けられるように構成され、手術部位における物体の姿勢情報を含む光学信号を検出し、姿勢を計算するために光学信号を情報処理装置に提供するように構成された、カメラと、カメラによって検出される光学信号を提供するように構成され、物体に取り付けられるか又は本質的にその一部であるトラッカーとを備え、取付アームは、カメラを手術部位に向けて位置調節を提供するように更に構成され、カメラ及び取付アームは、滅菌野内で使用するために滅菌カメラドレープ内に封入されるように更に構成され、滅菌カメラドレープ内に封入されたときでも、解剖学的構造に対するカメラの位置は変化しない。
【０１１９】
システムは、滅菌カメラドレープを更に含んでも良い。滅菌カメラドレープは更に、姿勢情報を含む信号を光学的に送信するのを可能にする、窓を設けても良い。システムは、滅菌カメラドレープをカメラに定着させるシュラウドを更に備えても良い。カメラは、シュラウドをカメラと噛合させて滅菌カメラドレープを固定する機構を更に有しても良い。システムは、窓がカメラの光学経路と整列して固定されるようにして、滅菌カメラドレープをカメラに固定させるように構成されても良い。シュラウドは、ばね力を介してカメラドレープをカメラに固定させるように構成されても良い。
【０１２０】
取付アームは、カメラにしっかり固定するように構成されても良い。システムは、カメラをしっかり保持するカメラクランプを更に備えても良く、カメラクランプは更に、取付メカニズムを取付アームに提供するように構成される。取付アームは、カメラに対して着脱可能かつ反復可能に付着するように構成されても良い。カメラ又はカメラクランプは動的取付メカニズムを提供しても良く、取付アームは補完的な動的取付メカニズムを提供しても良い。取付アームは、係止可能な継手を介して位置調整を提供しても良い。
【０１２１】
取付アームは、少なくとも１つの継手が係止可能な玉継手である場合、位置調節のための少なくとも１つの継手を設けても良い。取付アームは、複数の継手が単一のユーザ調節可能なメカニズムによって係止可能である場合、複数の継手を設けても良い。取付アームの位置調節は、例えば、ドレープを通して把持可能な調節部材を介して、滅菌カメラドレープ内に封入されたときに実施されても良い。
【０１２２】
取付アームは、患者固定化装置又は患者位置付け装置に取り付けるように構成されても良い。患者固定化装置はヘッドクランプであっても良い。
【０１２３】
取付アームは、患者の解剖学的構造にしっかり固定するように構成されても良い。例えば、メイフィールドクランプによって固定されても良いし、又は骨ねじを介して固定されても良い。
【０１２４】
患者の解剖学的構造は、頭蓋、脊髄、骨盤、大腿骨、脛骨、臀部、膝、肩、足首のうちの１つであっても良い。
【０１２５】
ナビゲート式の外科的処置を実施するシステムが開示され、システムは、カメラ取付アーム及びそれに取り付けられたカメラに対する滅菌バリアを提供するように構成された、滅菌カメラドレープを有する。滅菌ドレープは、滅菌バリアを提供するとき、位置調節可能なカメラ取付アームの位置調節が可能であるように構成されても良い。
【０１２６】
滅菌カメラドレープは更に、カメラから情報処理装置に姿勢情報を含む信号を送信するのを可能にする、滅菌カメラドレープ窓を設けても良い。滅菌カメラドレープ窓は、剛性の薄く平坦で透明な材料で形成されても良い。滅菌カメラドレープは、光学窓がカメラの光学経路と整列するようにして、カメラと整列して定着されるように構成されても良い。
【０１２７】
滅菌カメラドレープは、カメラから少なくともカメラ取付アームの基部まで延設されるように構成されても良い。
【０１２８】
滅菌カメラドレープは、患者ドレープとの連続的な滅菌バリアを提供するメカニズムを設けても良い。該メカニズムは、患者ドレープを滅菌カメラドレープとともにしっかりと保持するように構成された、滅菌弾性バンドであっても良いし、滅菌カメラドレープ及び患者ドレープが交わる位置で適用されるように構成された、接着剤ストリップでも良い。更に該メカニズムは、カメラドレープの長さに沿った所望の位置で患者ドレープに円周方向で接着できるように構成された、滅菌カメラドレープの長さに沿って様々な位置で滅菌カメラドレープを取り囲む、複数の接着面であっても良い。
【０１２９】
ナビゲート式の医療処置を実施するシステムが開示され、システムは、手術部位における物体の姿勢情報を含む光学信号を検出し、姿勢を計算するために光学信号を情報処理装置に提供するように構成された、カメラに付着するように構成された取付アームが設けられる。その取付アームは、取付けメカニズムを設ける近位端と、基部取付メカニズムを設ける遠位端とを有する。
【０１３０】
取付アームは、最大６ＤＯＦで近位端および遠位端の相対的な位置および向きを調節する、ユーザ調節可能なメカニズムを設けても良い。ユーザ調節可能なメカニズムは少なくとも１つの係止可能な玉継手を含んでも良い。ユーザ調節可能なメカニズムはグースネック形メカニズムを含んでも良い。
【０１３１】
基部取付メカニズムは、移動カート、手術台、手術室の台レールに対する適合可能なクランプ、ヘッドクランプ、放射形コネクタの１つに取り付けられるように構成されても良い。
【０１３２】
取付アームは遠位端に第２のコネクタを設けても良い。第２のコネクタは、基部取付メカニズムに対して補完的なコネクタを含んでも良い。
【０１３３】
取付アームは、トラッカーを選択的に取り付けるように更に構成されても良い。
【０１３４】
システムは、トラッカーを取り付けられるように構成された、第２の取付アームを設けても良い。第２の取付アームは、例えば、滅菌トラッカー及び非滅菌トラッカーを、一度に１つずつ取り付けるように構成されても良い。第２の取付アームは、滅菌患者ドレープを通して滅菌トラッカーを取り付けるように構成されても良い。
【０１３５】
ナビゲート式の医療処置を実施するシステムが開示され、システムは、トラッカーとユーザが把持する表面（例えば、ハンドル）とを提供する本体が形成される仮想プローブを設け、仮想プローブのトラッカーは、姿勢データを含む光学信号を、情報処理装置と接続しているカメラに提供するように構成される。情報処理装置は、医用画像に基づいたユーザの解剖学的構造のビューを表示するように構成され、情報処理装置は更に、位置合わせに基づいて、また更に仮想プローブの先端の位置に基づいて、ビューを変更するように構成され、姿勢データによって表されるトラッカーの姿勢に対する仮想プローブの先端の位置は、情報処理装置のメモリにおいて取得可能である。
【０１３６】
ビューは、医用画像における仮想プローブの先端の位置を示すように変更されても良い。医用画像はＣＴスキャン及びＭＲＩスキャンの１つであっても良い。
【０１３７】
システムは、トラッカーとユーザ把持可能な側面とを設ける本体を有し、本体から延設されるシャフト及び先端を更に設ける、プローブを更に有しても良い。
【０１３８】
仮想プローブの先端の位置は、仮想プローブ先端本体に対して、プローブ先端とプローブ本体との位置的関係と同じ位置的関係を有しても良い。
【０１３９】
仮想プローブは非滅菌時に使用し、プローブは滅菌時に使用しても良い。
【０１４０】
患者の解剖学的構造は頭蓋および脳であっても良いし、臀部または膝であっても良いし、椎骨であっても良い。
【０１４１】
この主題は、記載した特定の実施形態に限定されず、またそのため、様々であっても良いことが理解されるべきである。また、本明細書で使用される専門用語は、単に特定の実施形態を説明するためのものであり、限定的であることを意図しないことが理解されるべきである。
【０１４２】
本開示を読むことで当業者には明白となるように、本明細書に記載され例示される個々の実施形態はそれぞれ、本明細書の教示から逸脱することなく、他のいくつかの実施形態のいずれかにおける特徴とは容易に区別されるか又はそれらと組み合わされても良い、別個の構成要素および特徴を有する。任意の引用される方法は、引用されたイベントの順序で、又は論理的に可能な他の任意の順序で実施することができる。
【０１４３】
様々な実施形態について、添付図面を参照して本明細書に記載してきた。しかしながら、以下の特許請求の範囲で説明されるような開示の実施形態のより広範な範囲から逸脱することなく、様々な修正および変更が行われても良く、追加の実施形態が実現されても良いことが明白となるであろう。
【図１】
2019532693.tif 000003
【図２】
2019532693.tif 000004
【図３】
2019532693.tif 000005
【図４】
2019532693.tif 000006
【図５】
2019532693.tif 000007
【図６】
2019532693.tif 000008
【図７】
2019532693.tif 000009
【図８】
2019532693.tif 000010
【図９】
2019532693.tif 000011
【図１０】
2019532693.tif 000012
【図１１】
2019532693.tif 000013
【図１２】
2019532693.tif 000014
【図１３】
2019532693.tif 000015
【図１４】
2019532693.tif 000016
【図１５】
2019532693.tif 000017
【図１６】
2019532693.tif 000018
【図１７】
2019532693.tif 000019
【図１８】
2019532693.tif 000020
【図１９】
2019532693.tif 000021
【図２０】
2019532693.tif 000022
【国際調査報告】
2019532693.tif 000023
2019532693.tif 000024
2019532693.tif 000025
2019532693.tif 000026
2019532693.tif 000027
2019532693.tif 000028